(57)【要約】【課題】電動車両の蓄電池の長寿命化を図りつつ、蓄電池の充放電を制御することができる充放電制御装置を提供する。【解決手段】充放電制御装置１０ａは、電力変換器１２と制御部１４とを備える。電力変換器１２は、電力系統からの電力を蓄電池３０を充電する充電電力に変換し、その充電電力を蓄電池３０に供給し、蓄電池３０の放電電力を電力変換して、前記電力系統へ出力する。制御部１４は、休止期間において、蓄電池３０の残容量が第１の範囲内であり、蓄電池３０の温度が第２の範囲内となるよう、電力変換器１２に対して蓄電池３０の充放電の制御を行う。第１の範囲とは予め定められた範囲であり、第２の範囲とは蓄電池３０の動作に適した予め定められた範囲である。【選択図】図１
2015208197.tif 000002
【特許請求の範囲】
【請求項１】
電力系統からの電力を電動車両に搭載された蓄電池を充電する充電電力へ変換し、変換した前記充電電力を前記蓄電池に供給し、前記蓄電池の放電電力を電力変換して、前記電力系統へ出力する電力変換器と、
前記電動車両の走行利用を休止している休止期間において、前記蓄電池の残容量が、前記蓄電池の長寿命化に適した予め定められた第１の範囲内であり、前記蓄電池の温度が、前記蓄電池の動作に適した予め定められた第２の範囲内となるよう、前記電力変換器に対して前記蓄電池の充放電の制御を行う制御部とを備える
ことを特徴とする充放電制御装置。
【請求項２】
前記第１の範囲は、その下限値が、前記蓄電池の残容量が残っていないことを表す値よりも大きく、その上限値が、前記蓄電池の全容量を表す値よりも小さい範囲からなる
ことを特徴とする請求項１に記載の充放電制御装置。
【請求項３】
前記蓄電池の残容量が前記第１の範囲内となり、前記蓄電池の温度が前記第２の範囲内となると、前記制御部は、前記第１の範囲を前記第１の範囲より狭い範囲に変更し、前記第２の範囲を前記第２の範囲より狭い範囲に変更し、前記蓄電池の残容量が変更後の前記第１の範囲内となり、かつ前記蓄電池の温度が変更後の前記第２の範囲内となるよう前記電力変換器に対して前記蓄電池の充放電の制御を行う
ことを特徴とする請求項２に記載の充放電制御装置。
【請求項４】
前記電力変換器は、放電電力が変換された電力を負荷に供給しており、
前記制御部は、前記負荷の利用状況を示す負荷利用情報および前記電動車両の利用状況を示す車両利用情報に基づいて、前記休止期間における前記蓄電池の充放電のスケジューリングを行い、前記スケジューリングの結果に基づいて前記蓄電池の充放電を行うよう前記電力変換器を制御する
ことを特徴とする請求項１乃至請求項３の何れか一項に記載の充放電制御装置。
【請求項５】
前記車両利用情報には、前記電動車両を過去に利用した時間帯の情報が含まれ、
前記制御部は、前記電動車両を過去に利用した時間帯の情報を基に、前記電動車両が次回利用される利用予定日時を推定し、
前記蓄電池と前記電力変換器とが電気的に接続されてから前記利用予定日時までの期間には、前記休止期間と、前記電動車両を利用するための準備期間とが含まれ、
前記制御部は、さらに、前記準備期間では、前記利用予定日時が到来した時に前記蓄電池の前記温度が前記第２の範囲に属するように、前記スケジューリングを行う
ことを特徴とする請求項４に記載の充放電制御装置。
【請求項６】
前記制御部は、前記蓄電池の充放電の制御を行う場合であって、前記温度が前記第２の範囲の上限値を超えている場合には、前記温度が前記第２の範囲に属するまでは前記蓄電池の充電および放電を停止するよう前記電力変換器を制御する
ことを特徴とする請求項１乃至請求項５の何れか一項に記載の充放電制御装置。
【請求項７】
前記制御部は、前記蓄電池の充放電の制御を行う場合であって、前記温度が前記第２の範囲の上限値を超えている場合には、前記蓄電池の温度が前記上限値を超えていない場合に比べて、充電電力または放電電力を小さくするよう前記電力変換器を制御する
ことを特徴とする請求項１乃至請求項６の何れか一項に記載の充放電制御装置。
【請求項８】
前記制御部は、前記蓄電池の温度が前記第２の範囲内となるよう前記蓄電池を冷却する冷却器を制御しつつ、前記蓄電池の残容量が前記第１の範囲内となるように前記電力変換器に対して前記蓄電池の充放電の制御を行う
ことを特徴とする請求項１乃至請求項７の何れか一項に記載の充放電制御装置。
【発明の詳細な説明】
【技術分野】
【０００１】
本発明は、一般に充放電制御装置、より詳細には電動車両が備える蓄電池の充放電を行う充放電制御装置に関する発明である。
【背景技術】
【０００２】
近年、有害排気物質が少なく、環境にやさしい電動車両が市場に導入され、電動車両の蓄電池（バッテリ）の充放電を行う電力供給システムが提案されている。電動車両として、例えば電気自動車やプラグインハイブリッド車などがある。電力供給システムは、電動車両と需要家（ｆａｃｉｌｉｔｙ）内の負荷との間に設けられて、電動車両の蓄電池に対して充電電力を供給し、電動車両の蓄電池から供給される放電電力を需要家内の負荷に供給する（例えば、特許文献１、２参照）。
【０００３】
特許文献１の電力供給システムによると、走行に必要な電動車両のバッテリの残容量を十分に確保しつつ、需要家の電気設備に電力を円滑に融通することができる。また、特許文献２の電力供給システムによると、予測発電スケジュールに応じた充放電を行うことができる。
【先行技術文献】
【特許文献】
【０００４】
【特許文献１】特開２０１２−２９４８３号公報
【特許文献２】特開２０１３−５５４０号公報
【発明の概要】
【発明が解決しようとする課題】
【０００５】
蓄電池（バッテリ）は、長時間使用するに従って容量劣化が発生する。この容量劣化が進むと、蓄電池は使用ができなくなる。そのため、ユーザからは、蓄電池の長寿命化が望まれている。しかしながら、特許文献１、２では、走行に必要な蓄電池の容量を確保しながら充放電の制御、または予測発電スケジュールに応じた充放電の制御を行ったりするだけあり、蓄電池の長寿命化が図られているとは言い難い。
【０００６】
そこで、本発明は、上記事由に鑑みてなされており、その目的は、電動車両の蓄電池の長寿命化を図りつつ、蓄電池の充放電を制御することができる充放電制御装置を提供することにある。
【課題を解決するための手段】
【０００７】
本発明の充放電制御装置は、電力系統からの電力を電動車両に搭載された蓄電池を充電する充電電力へ変換し、変換した前記充電電力を前記蓄電池に供給し、前記蓄電池の放電電力を電力変換して、前記電力系統へ出力する電力変換器と、前記電動車両の走行利用を休止している休止期間において、前記蓄電池の残容量が、前記蓄電池の長寿命化に適した予め定められた第１の範囲内であり、前記蓄電池の温度が、前記蓄電池の動作に適した予め定められた第２の範囲内となるよう、前記電力変換器に対して前記蓄電池の充放電の制御を行う制御部とを備えることを特徴とする。
【発明の効果】
【０００８】
この構成によると、本発明の充放電制御装置は、蓄電池の残容量が第１の範囲内であり、蓄電池の温度が第２の範囲内となるよう電力変換器に対して蓄電池の充放電の制御を行うので、蓄電池の長寿命化を図ることができる。
【図面の簡単な説明】
【０００９】
【図１】本実施形態の充放電制御システムの構成を示す図である。
【図２】充放電制御システムが備える充放電制御装置の動作概要を示す図である。
【図３】充放電制御装置の経済優先処理を示す図である。
【図４】充放電制御装置の走行優先処理を示す図である。
【図５】充放電制御装置の電池優先処理を示す図である。
【図６】電池優先処理で行われる充放電制御処理を示す図である。
【図７】充放電制御装置における第１の具体例を説明する図である。
【図８】充放電制御装置における第２の具体例を説明する図である。
【図９】充放電制御装置における第３の具体例を説明する図である。
【図１０】充放電制御装置における第４の具体例を説明する図である。
【図１１】変形例（９）、（１０）の充放電制御装置を説明するための図である。
【図１２】変形例（１１）の充放電制御装置の電池優先処理を示す図である。
【発明を実施するための形態】
【００１０】
以下、本発明の実施形態を図面に基づいて説明する。
【００１１】
１．実施形態
１．１  構成
図１は、本実施形態における充放電制御システム１０の構成を示す図である。充放電制御システム１０は、蓄電池３０が搭載された電動車両Ｃ１と接続され、商用電源２０（系統電源）から供給される商用電力を用いて、蓄電池３０の充電を行う。また、充放電制御システム１０は、電動車両Ｃ１の所有者の需要家（ｆａｃｉｌｉｔｙ）Ｃ２内の負荷４０と接続されており、蓄電池３０の放電電力を商用電力に系統連系させて、負荷４０に供給する。
【００１２】
充放電制御システム１０は、図１に示すように、充放電制御装置１０ａと系統リレー１１とを備える。充放電制御装置１０ａは、電力変換器１２、記憶部１３および制御部１４を備える。
【００１３】
系統リレー１１は、商用電力系統Ｌ１と電路Ｌ２との間に設けられている。系統リレー１１は、商用電力系統Ｌ１と電路Ｌ２との間に設けた接点をオン・オフすることによって、商用電源２０から電路Ｌ２に供給される商用電力を導通・遮断する。
【００１４】
電力変換器１２は、電路Ｌ２と接続口１５との間に電気的に接続されている。接続口１５は、ケーブル５０の一端が接続している。ケーブル５０の他端には、図示しないコネクタが接続されており、このコネクタが電動車両Ｃ１の図示しないインレットに接続している。
【００１５】
電力変換器１２は、制御部１４によって動作を制御されて、電路Ｌ２の商用電力を直流電力に変換し、この直流電力を充電電力として接続口１５へ出力する。また、電力変換器１２は、電動車両Ｃ１が出力する放電電力（直流電力）を商用周波数の交流電力に変換して、電路Ｌ２へ出力する。すなわち、電力変換器１２は、電路Ｌ２と電力変換器１２との間で、双方向の電力変換機能（ＡＣ／ＤＣ変換機能、ＤＣ／ＡＣ変換機能）を有する。さらに、電力変換器１２は、電路Ｌ２に出力する交流電力を商用電力に協調させる系統連系運転機能を有しており、交流電力を出力する際には、商用電力に協調させて出力する。
【００１６】
記憶部１３は、負荷４０の利用状況を示す負荷利用情報、および電動車両Ｃ１の利用状況を示す車両利用情報を記憶している。
【００１７】
負荷利用情報には、電気料金プラン、負荷４０で使用される電力量および負荷４０が利用される時間帯、単位時間（例えば、１時間）当たりにおける負荷４０の消費電力、および負荷４０が使用された履歴などが含まれている。
【００１８】
車両利用情報には、電動車両Ｃ１が過去に利用された月日、時間帯および利用された時間帯ごとの走行距離などが含まれている。
【００１９】
制御部１４は、充放電制御装置１０ａを制御する機能を有する。充放電制御装置１０ａは、プロセッサやメモリ（図示せず）を有しており、制御部１４の機能は、メモリに記憶されているプログラムをプロセッサが実行することにより実現される。
【００２０】
以下、制御部１４が、蓄電池３０の充放電を制御する機能について説明する。
【００２１】
制御部１４は、ユーザ操作によって、充放電制御装置１０ａの動作モードを選択する。ここで、動作モードには、経済優先モード、走行優先モードおよび電池優先モードがあり、制御部１４は、これらの動作モードにうち１つの動作モードを選択する。
【００２２】
制御部１４は、経済優先モードでは、記憶部１３で記憶されている負荷利用情報に含まれる電気料金プランに基づいて、電気料金が安い時間帯では蓄電池３０の充電を行うよう電力変換器１２を制御する。また、制御部１４は、電気料金が高い時間帯では蓄電池３０の放電を行うよう電力変換器１２を制御する。
【００２３】
制御部１４は、走行優先モードでは、記憶部１３で記憶されている車両利用情報を用いて、次の利用で走行する走行予定距離を推定する。制御部１４は、ケーブル５０に設けた図示しない通信線を用いて電動車両Ｃ１と通信を行い、蓄電池３０の残容量を取得する。制御部１４は、取得した残容量が推定した走行予定距離を走行するのに十分でない場合には、蓄電池３０の充電を行うよう電力変換器１２を制御する。
【００２４】
制御部１４は、電池優先モードでは、蓄電池３０の長寿命化を図りつつ、蓄電池３０の充放電が行われるよう電力変換器１２を制御する。以下、具体的に説明する。
【００２５】
制御部１４は、ケーブル５０に設けた図示しない通信線を用いて電動車両Ｃ１と通信を行い、蓄電池３０の温度および残容量を取得する。制御部１４は、残容量が容量許容範囲内であり、温度が温度許容範囲内である場合には、電動車両Ｃ１の走行利用がされていない期間（休止期間）において、蓄電池３０の長寿命化を図りつつ、蓄電池３０の充放電が行われるよう電力変換器１２を制御する。具体的には、制御部１４は、蓄電池３０の容量が第１の範囲内であり、蓄電池３０の温度が第２の範囲となるよう電力変換器１２を制御する。
【００２６】
ここで、容量許容範囲とは、放電下限を表す値（放電下限値）から充電上限を表す値（充電上限値）までの範囲であり、温度許容範囲とは、蓄電池３０の動作が安定する温度の範囲である。また、放電下限値とは、放電下限電圧を出力するために必要な蓄電池３０の容量を示す値である。充電上限値とは、充電上限電圧を出力するために必要な蓄電池３０の容量を示す値である。さらに、第１の範囲とは、蓄電池３０の長寿命化を図ることのできる蓄電池３０の容量の範囲であって、予め定められた範囲、例えば、全容量に対する２０％から８０％の範囲である。ここで、第１の範囲は、蓄電池３０の種類、利用頻度およびその容量などを考慮することによって、適宜設定される。第２の範囲とは、蓄電池３０の長寿命化を図ることのできる温度の範囲であって、例えば、１０度から４０度の範囲である。なお、容量許容範囲は第１の範囲を包含しており、例えば全容量に対する２０％から９０％の範囲である。また、温度許容範囲は第２の範囲を包含しており、例えば−１０度から５０度の範囲である。
【００２７】
取得した残容量が容量許容範囲内でない、または温度が温度許容範囲内でない場合には、制御部１４は、記憶部１３で記憶されている車両利用情報に含まれる過去に利用された時間帯に基づいて次に電動車両Ｃ１が利用される日時（利用予定日時）を推定する。推定された日時に到達するまでの間、制御部１４は、蓄電池３０の長寿命化を図りつつ、蓄電池３０の充放電が行われるようにスケジューリングする。制御部１４は、スケジューリングに基づいて蓄電池３０の充放電を行うように電力変換器１２を制御する。
【００２８】
蓄電池３０の充放電のスケジューリングについて、以下に説明する。
【００２９】
制御部１４は、電動車両Ｃ１の走行利用されておらず、利用予定日時に到達するまでの残り時間が所定時間（例えば２時間）を切るまでの間（休止期間）は、蓄電池３０の残容量が第１の範囲内に、温度が第２の範囲内となるよう充放電のスケジューリングを行う。そして、制御部１４は、利用予定日時までの時間が到来するまでの所定時間の間では、蓄電池３０の温度が第２の範囲となるように充電するためのスケジューリングを行う。
【００３０】
なお、所定時間を、電動車両Ｃ１の利用を開始するための準備期間ともいう。つまり、スケジューリングがなされる場合には、電動車両Ｃ１と電力変換器１２とが電気的に接続されてから利用予定時間までの期間は、休止期間と準備期間とから構成されている。
【００３１】
１．２  動作
ここでは、充放電制御システム１０が備える充放電制御装置１０ａの動作について説明する。
【００３２】
（１）動作概要
ここでは、充放電制御装置１０ａの動作概要について、図２に示す流れ図を用いて説明する。
【００３３】
制御部１４は、動作モードが設定されているか否かを判断する（ステップＳ５）。
【００３４】
設定されていると判断する場合（ステップＳ５における「Ｙｅｓ」）、制御部１４は、設定された動作モードが経済優先モードであるか否かを判断する（ステップＳ１０）。
【００３５】
設定されている動作モードが経済優先モードであると判断する場合（ステップＳ１０における「Ｙｅｓ」）、制御部１４は、経済優先処理を実行する（ステップＳ１５）。
【００３６】
設定されている動作モードが経済優先モードでないと判断する場合（ステップＳ１０における「Ｎｏ」）、制御部１４は、設定された動作モードが走行優先モードであるか否かを判断する（ステップＳ２０）。
【００３７】
設定されている動作モードが走行優先モードであると判断する場合（ステップＳ２０における「Ｙｅｓ」）、制御部１４は、走行優先処理を実行する（ステップＳ２５）。
【００３８】
設定されている動作モードが走行優先モードでないと判断する場合（ステップＳ２０における「Ｎｏ」）、制御部１４は、電池優先処理を実行する（ステップＳ３０）。
【００３９】
設定されている動作モードに応じた処理が終了すると、制御部１４は、ユーザにより終了操作があったか否かを判断する（ステップＳ３５）。終了操作があったと判断する場合（ステップＳ３５における「Ｙｅｓ」）、制御部１４は処理を終了する。
【００４０】
（２）経済優先処理
ここでは、経済優先処理について、図３に示す流れ図を用いて説明する。
【００４１】
制御部１４は、電気料金プランに基づいて、電気料金が最も安い時間帯（深夜電力時間帯）に現在の時刻が属しているか否かを判断する（ステップＳ１００）。
【００４２】
現在の時刻が深夜電力時間帯に属していると判断する場合（ステップＳ１００における「Ｙｅｓ」）、制御部１４は、蓄電池３０の充電を行うよう電力変換器１２の制御を開始する（ステップＳ１０５）。制御部１４は、蓄電池３０の残容量が充電上限値を上回ったか否かを判断する（ステップＳ１１０）。
【００４３】
蓄電池３０の残容量が充電上限値を上回っていないと判断する場合には（ステップＳ１１０における「Ｎｏ」）、制御部１４は、蓄電池３０の充電を継続するよう電力変換器１２を制御するとともに、ステップＳ１１０へ戻り、再度判定を行う。
【００４４】
蓄電池３０の残容量が充電上限値を上回ったと判断する場合には（ステップＳ１１０における「Ｙｅｓ」）、制御部１４は、充電処理を終了する（ステップＳ１１５）。
【００４５】
現在の時刻が深夜電力時間帯に属していないと判断する場合（ステップＳ１００における「Ｎｏ」）、制御部１４は、負荷４０の必要に応じて、蓄電池３０の放電を行うよう電力変換器１２の制御を開始する（ステップＳ１２０）。制御部１４は、蓄電池３０の残容量が放電下限値を下回ったか否かを判断する（ステップＳ１２５）。
【００４６】
蓄電池３０の残容量が放電下限値を下回っていないと判断する場合には（ステップＳ１２５における「Ｎｏ」）、制御部１４は、蓄電池３０の放電を継続するよう電力変換器１２を制御するとともに、ステップＳ１２５へ戻り、再度判定を行う。
【００４７】
蓄電池３０の残容量が放電下限値を下回ったと判断する場合には（ステップＳ１２５における「Ｙｅｓ」）、制御部１４は、放電処理を終了する（ステップＳ１３０）。
【００４８】
なお、制御部１４は、充電および放電の継続の判断に充電上限値および放電下限値を用いたが、他の値を用いて充電および放電の継続の判断を行ってもよい。
【００４９】
（３）走行優先処理
ここでは、走行優先処理について図４に示す流れ図を用いて説明する。
【００５０】
制御部１４は、電動車両Ｃ１との通信により蓄電池３０の残容量を取得、および記憶部１３で記憶されている車両利用情報を用いて走行予定距離を取得する情報取得処理を行う（ステップＳ２００）。
【００５１】
制御部１４は、走行予定距離に必要な蓄電池３０の容量（走行容量）を算出する（ステップＳ２０５）。具体的には、制御部１４は、単位距離（例えば、１ｋｍ）当たりに必要な単位容量を、走行予定距離に乗算して、走行容量を算出する。
【００５２】
制御部１４は、取得した残容量が走行予定距離に対して十分な容量であるか否かを判断する（ステップＳ２１０）。具体的には、制御部１４は、走行容量が残容量のうち１０％分の容量を残容量から減算した結果を上回っているか否かを判断する。
【００５３】
走行容量が残容量のうち１０％分の容量を残容量から減算した結果を上回っていないと判断する場合（ステップＳ２１０における「Ｎｏ」）、制御部１４は、残容量を維持する、つまり充放電は行わないよう電力変換器１２を制御する（ステップＳ２３０）。
【００５４】
走行容量が残容量のうち１０％分の容量を残容量から減算した結果を上回っていると判断する場合（ステップＳ２１０における「Ｙｅｓ」）、制御部１４は、蓄電池３０の充電を行うよう電力変換器１２の制御を開始する（ステップＳ２１５）。
【００５５】
その後、制御部１４は、走行容量が残容量のうち１０％分の容量を残容量から減算した結果を上回っているか否かを判断する（ステップＳ２２０）。
【００５６】
走行容量が残容量のうち１０％分の容量を残容量から減算した結果を上回っていると判断する場合（ステップＳ２２０における「Ｙｅｓ」）、制御部１４は、蓄電池３０の充電を継続するよう電力変換器１２を制御しつつ、ステップＳ２２０の判定を再度行う。
【００５７】
走行容量が残容量のうち１０％分の容量を残容量から減算した結果を上回っていないと判断する場合（ステップＳ２２０における「Ｎｏ」）、制御部１４は、充電処理を終了する（ステップＳ２２５）。
【００５８】
なお、ステップＳ２１０およびステップＳ２２０において走行容量との比較対象を、残容量のうち１０％分の容量を残容量から減算した結果としたが、全容量のうち１０％分の容量を残容量から減算した結果としてもよい。
【００５９】
（４）電池優先処理
ここでは、走行優先処理について図５に示す流れ図を用いて説明する。
【００６０】
制御部１４は、電動車両Ｃ１との通信により蓄電池３０の温度および残容量を取得する第１取得処理を行う（ステップＳ３００）。
【００６１】
制御部１４は、取得した残容量が容量許容範囲内であるか否かを判断する（ステップＳ３０５）。
【００６２】
残容量が容量許容範囲内であると判断する場合（ステップＳ３０５における「Ｙｅｓ」）、制御部１４は、取得した温度が温度許容範囲内であるか否かを判断する（ステップＳ３１０）。
【００６３】
温度が温度許容範囲内であると判断する場合（ステップＳ３１０における「Ｙｅｓ」）、制御部１４は、残容量および温度に応じた充放電を行うよう電力変換器１２を制御する（ステップＳ３１０）。例えば、制御部１４は、以下のように電力変換器１２を制御する。残容量が容量許容範囲の中間値以下である場合には、制御部１４は、蓄電池３０の充電を行うよう電力変換器１２の制御を開始する。また、残容量が容量許容範囲の中間値より大きい場合には、制御部１４は、蓄電池３０の放電を行うよう電力変換器１２の制御を開始する。
【００６４】
制御部１４は、蓄電池３０の残容量が第１の範囲内であるか否かを判断する（ステップＳ３２０）。第１の範囲内であると判断する場合（ステップＳ３２０における「Ｙｅｓ」）、制御部１４は、さらに、蓄電池３０の温度が第２の範囲内であるか否かを判断する（ステップＳ３２５）。蓄電池３０の残容量が第１の範囲内でない、または温度が第２の範囲内でないと判断する場合（ステップＳ３２０またはＳ３２５における「Ｎｏ」）には、制御部１４は、ステップＳ３１０へ戻り、蓄電池３０の放電充電を行うよう電力変換器１２を制御する。このとき、例えば制御部１４は、以下のように電力変換器１２を制御する。残容量が第１の範囲の下限値より小さく、温度が第２の範囲内である場合には、制御部１４は蓄電池３０の充電を行うよう電力変換器１２を制御する。残容量が第１の範囲の上限値より大きく、温度が第２の範囲内である場合には、負荷４０の必要に応じて制御部１４は蓄電池３０の放電を行うよう電力変換器１２を制御する。温度が温度許容範囲の下限値より小さく、かつ残容量が第１の範囲の中間値以下である場合には、制御部１４は蓄電池３０の充電を行うよう電力変換器１２を制御する。温度が第２の範囲の下限値より小さく、かつ残容量が容量許容範囲の中間値より大きい場合には、制御部１４は負荷４０の必要に応じて蓄電池３０の放電を行うよう電力変換器１２を制御する。温度が第２の範囲の上限値以上である場合には、制御部１４は、残容量に関わらず、温度が第２の範囲内となるまでは充放電の制御は行わない。なお、ステップＳ３１５で充放電の制御が開始されると、制御部１４は、電動車両Ｃ１との通信により蓄電池３０の温度および残容量を逐次取得している。
【００６５】
蓄電池３０の温度が第２の範囲内であると判断する場合（ステップＳ３２５における「Ｙｅｓ」）、制御部１４は、電動車両Ｃ１の利用が開始されたか否かを判断する（ステップＳ３３０）。具体的には、制御部１４は、ケーブル５０により電力変換器１２と電動車両Ｃ１とが電気的に接続されているか否かを判断する。
【００６６】
電動車両Ｃ１の利用が開始されていない、つまり電力変換器１２と電動車両Ｃ１とが電気的に接続されていると判断する場合（ステップＳ３３０における「Ｎｏ」）、制御部１４は、ステップＳ３２０の戻り、再度処理を行う。電動車両Ｃ１の利用が開始された、つまり電力変換器１２と電動車両Ｃ１とが電気的に接続されていないと判断する場合（ステップＳ３３０における「Ｙｅｓ」）、制御部１４は、処理を終了する。
【００６７】
残容量が容量許容範囲内または温度が温度許容範囲内でないと判断する場合（ステップＳ３０５またはステップＳ３１０における「Ｎｏ」）、制御部１４は、記憶部１３から車両利用情報および負荷利用情報を取得する第２取得処理を行う（ステップＳ３３５）。
【００６８】
制御部１４は、取得した車両利用情報および負荷利用情報を用いて、充放電のスケジュールを作成する（ステップＳ３４０）。具体的には、制御部１４は、取得した車両利用情報に含まれる過去に利用された時間帯に基づいて利用予定日時を推定する。制御部１４は、利用予定日時および基準容量を用いて、休止期間と準備期間を特定する。制御部１４は、休止期間において、取得した負荷利用情報を基に、蓄電池３０の残容量が第１の範囲内であり、温度が第２の範囲内となるように蓄電池３０の充放電を行うようにスケジューリングする。制御部１４は、準備期間において、蓄電池３０の温度が長寿命化を図ることのできる温度の範囲で充電を行うように充放電のスケジューリングを行う。
【００６９】
制御部１４は、充放電制御処理を行う（ステップＳ３４５）。
【００７０】
（５）充放電制御処理
ここでは、電池優先処理で行われる充放電制御処理について、図６に示す流れ図を用いて説明する。
【００７１】
制御部１４は、スケジューリングの結果に基づいて、残容量および温度に応じた充放電を行うよう電力変換器１２を制御する（ステップＳ４００）。
【００７２】
制御部１４は、蓄電池３０の残容量が第１の範囲内であるか否かを判断する（ステップＳ４０５）。第１の範囲内であると判断する場合（ステップＳ４０５における「Ｙｅｓ」）、制御部１４は、蓄電池３０の温度が第２の範囲内であるか否かを判断する（ステップＳ４１０）。
【００７３】
残容量が第１の範囲内でない、または温度が第２の範囲内でないと判断する場合（ステップＳ４０５またはＳ４１０における「Ｎｏ」）、処理はステップＳ４００へ戻る。残容量と温度との組み合わせに応じた充放電の制御の一例は、上述した内容と同様である。なお、ステップＳ４００で充放電の制御が開始されると、制御部１４は、電動車両Ｃ１との通信により蓄電池３０の温度および残容量を逐次取得している。
【００７４】
温度が第２の範囲内であると判断する場合（ステップＳ４１０における「Ｎｏ」）、制御部１４は、休止期間が終了したか否かを判断する（ステップＳ４１５）。
【００７５】
休止期間が終了していないと判断する場合（ステップＳ４１５における「Ｎｏ」）、制御部１４はステップＳ４０５へ戻る。
【００７６】
休止期間が終了したと判断する場合（ステップＳ４１５における「Ｙｅｓ」）、制御部１４は、利用予定日時が到来するまでの間、蓄電池３０の充電を行うように電力変換器１２の制御を行う（ステップＳ４２０）。なお、ステップＳ４２０で充電の制御が開始されると、制御部１４は、電動車両Ｃ１との通信により蓄電池３０の温度を逐次取得している。
【００７７】
制御部１４は、蓄電池３０の温度が第２の範囲内であるか否かを判断する（ステップＳ４２５）。
【００７８】
第２の範囲内でないと判断する場合（ステップＳ４２５における「Ｎｏ」）、処理はステップＳ４２０へ戻る。
【００７９】
第２の範囲内であると判断する場合（ステップＳ４２５における「Ｙｅｓ」）、制御部１４は、さらに準備期間が終了したか否か、つまり利用予定日時が到来したか否かを判断する（ステップＳ４３０）。
【００８０】
準備期間が終了していないと判断する場合（ステップＳ４３０における「Ｎｏ」）、処理はステップＳ４２５へ戻る。準備期間が終了したと判断する場合（ステップＳ４３０における「Ｙｅｓ」）、処理は終了する。
【００８１】
なお、電池優先処理および充放電制御処理において、蓄電池３０の温度が第２の範囲の上限値より大きい場合には、充放電は行われないとしたが、これに限定されない。蓄電池３０の温度が第２の範囲の上限値より大きい場合に、充電または放電の電力を通常の電力より小さい電力として充放電を行ってもよい。
【００８２】
また、上述した制御部１４による準備期間における充電の制御は一例である。制御部１４は、次の利用で走行する走行予定距離に応じた蓄電池３０の充電を行いつつ、蓄電池３０の温度が第２の範囲となるよう、その充電を制御するとしてもよい。
【００８３】
また、蓄電池３０の残容量が容量許容範囲内であり、温度が温度許容範囲内である場合には、蓄電池３０はその動作性能を十分に発揮できる状態でると考えられる。そこで、充放電制御装置１０ａは、何ら制限することなく蓄電池３０の充放電を行っても蓄電池３０の劣化が急速に進むことはない。逆に、蓄電池３０の残容量が容量許容範囲内でない、または温度が温度許容範囲内でない場合には、蓄電池３０の動作性能が低下しており、このような状態で何ら制限することなく蓄電池３０の充放電を行うことは、蓄電池３０の劣化を招く原因となる。そこで、充放電制御装置１０ａは、充放電のスケジュールを作成し、作成したスケジュールに基づいて充放電を制御することで、蓄電池３０の動作性能の低下を抑えることができる。
【００８４】
１．３  具体例
ここでは、具体例を用いて、経済優先モード、走行優先モードおよび電池優先モードのそれぞれにおける蓄電池３０の充放電について説明する。
【００８５】
図７は、１つ目の具体例（第１の具体例）を説明する図である。
【００８６】
図７において、８時から２２時までの間の電気料金は、他の時間帯の比べて高い金額となっている。
【００８７】
在車情報とは、電動車両Ｃ１が需要家Ｃ２に存在する時間帯と、存在しない時間帯を示す情報である。図７において、８時から１８時の時間帯では電動車両Ｃ１が需要家Ｃ２に存在していないことを示し、８時までの時間帯および１８時以降の時間帯では電動車両Ｃ１が需要家Ｃ２に存在していることを示している。
【００８８】
この場合、経済優先モードでは、電動車両Ｃ１が需要家Ｃ２に存在する時間帯であって、電気料金が高い時間帯では、充放電制御装置１０ａは蓄電池３０の放電を行う（図７の１８時から２２時）。電気料金が低い時間帯では、充放電制御装置１０ａは蓄電池３０の充電を行う（図７の２２時以降）。
【００８９】
走行優先モードでは、例えば、蓄電池３０の容量が、走行予定距離を走行するのに必要な容量（必要容量）でない場合には蓄電池３０の容量が必要容量となるまで、充放電制御装置１０ａは蓄電池３０の充電を行う（図７の１８時から２０時）。
【００９０】
電池優先モードでは、蓄電池３０の残容量が容量許容範囲内であり、温度が温度許容範囲内、特に第２の範囲内である場合には、充放電制御装置１０ａは、図５で示すステップＳ３１５〜Ｓ３２５に基づいて、蓄電池３０の充放電を行う（図７の１８時以降）。
【００９１】
図８は、２つ目の具体例（第２の具体例）を説明する図である。なお、電気料金、在車情報、経済優先モード時の充放電、走行優先モード時の充放電については、図７と同様であるため、説明は省略する。電池優先モード時の充放電が、図７と相違する。
【００９２】
電動車両Ｃ１の利用が終了した直後では蓄電池３０の温度は高温となっている場合がある。電池優先モードでは、蓄電池３０の残容量が容量許容範囲内であり、温度が温度許容範囲内であるが第２の範囲の上限値以上である場合には、蓄電池３０の残容量に関わらず、充放電制御装置１０ａは蓄電池３０の充放電を停止する（図８の１８時から１９時）。自然冷却により蓄電池３０の温度が第２の範囲内となると、充放電制御装置１０ａは蓄電池３０の充放電を行う（図８の１９以降）。
【００９３】
図９は、３つ目の具体例（第３の具体例）を説明する図である。なお、電気料金、在車情報、経済優先モード時の充放電、走行優先モード時の充放電については、図７と同様であるため、説明は省略する。電池優先モード時の充放電が、図７、図８と相違する。
【００９４】
図９に示す電池優先モードでは、充放電制御装置１０ａは、電動車両Ｃ１の利用終了後で蓄電池３０の温度が温度許容範囲内であり、かつ第２の範囲の上限値以上である場合であっても蓄電池３０の充放電を行う。このとき、充放電制御装置１０ａは、蓄電池３０の温度が第２の範囲の上限値を超えていない場合の充放電に比べて、充放電電力を小さくしている。図９では、破線部分が、蓄電池３０の温度が第２の範囲の上限値を超えていない場合における充放電電力を表している。このように、充放電電力を抑えることで、蓄電池３０の温度上昇を抑えることができるので、時間が経過するにつれ、蓄電池３０の温度が下がることが期待される。なお、蓄電池３０の温度が第２の範囲内となった場合には、充放電制御装置１０ａは、充放電電力を通常の出力へ戻す。
【００９５】
図１０は、４つ目の具体例（第４の具体例）を説明する図である。図１０は、電池優先モードにおいて、電動車両Ｃ１が利用される前までの蓄電池３０の充放電の具体例を説明する図である。なお、電気料金、在車情報、経済優先モード時の充放電、走行優先モード時の充放電については、図７と同様であるため、説明は省略する。
【００９６】
この具体例では、充放電制御装置１０ａは、利用予定日時（図１０では９時）に到達するまでの間、蓄電池３０の充放電を行う。充放電制御装置１０ａは、利用予定日時に到達した時点で、蓄電池３０の残容量を所定の状態（例えば、満充電状態、走行予定距離に応じた残容量）にするとともに、蓄電池３０の温度を第２の範囲内とする。
【００９７】
１．４  変形例
以上、実施形態に基づいて本発明について説明したが、本発明は上述した実施形態に限られない。例えば、以下のような変形例が考えられる。
【００９８】
（１）上記実施形態において、充放電制御装置１０ａは、記憶部１３で記憶される負荷利用情報を、通信により負荷４０から取得してもよい。また、充放電制御装置１０ａは、車両利用情報についても同様に、通信により電動車両Ｃ１から取得してもよい。
【００９９】
または、充放電制御装置１０ａは、他の装置（例えば、携帯電話機やパーソナルコンピュータなど）から負荷利用情報および車両利用情報を取得してもよい。
【０１００】
（２）上記実施形態において、充放電制御装置１０ａは、ケーブル５０により電動車両Ｃ１と物理的に接続したが、本発明は、これに限定されない。
【０１０１】
充放電制御装置１０ａと電動車両Ｃ１とは、非接触方式により接続されてもよい。
【０１０２】
（３）上記実施形態において、充放電制御装置１０ａは、電動車両Ｃ１との通信により蓄電池３０の温度を取得したが、本発明は、これに限定されない。
【０１０３】
充放電制御装置１０ａは、蓄電池３０の温度を推定してもよい。例えば、充放電制御装置１０ａは、温度検出器を備えている。充放電制御装置１０ａは、温度検出器で電動車両Ｃ１の周囲の温度を検出し、検出した温度と、電動車両Ｃ１が停止されてからの経過時間とから、蓄電池３０の温度を推定する。
【０１０４】
（４）上記実施形態において、第１の範囲は、蓄電池３０の全容量に対する２０％から８０％からなる範囲としたが、本発明は、これに限定されない。第１の範囲は、予め定められた範囲であればよい。例えば、第１の範囲は、予め定められた範囲として、充電率が０％（残容量が全く残っていない状態）および充電率が１００％（満充電状態）を除く範囲であればよい。また、第１の範囲は、蓄電池３０の全容量に対する３０％から８０％の範囲、または４０％から７０％の範囲であってもよい。
【０１０５】
また、上記実施形態において、第２の範囲は、１０度から４０度からなる範囲としたが、本発明は、これに限定されない。第２の範囲は、蓄電池３０の長寿命化を図るための有効な範囲であればよい。例えば、第２の範囲は、５度から３５度の範囲、つまり、常温として規定される範囲であってもよい。
【０１０６】
（５）上記実施形態において、充放電制御装置１０ａでは、動作モードの設定はユーザ操作に行われるとしたが、本発明は、これに限定されない。
【０１０７】
充放電制御装置１０ａは、動作モードの設定を自動で行ってもよい。具体的には、充放電制御装置１０ａは、ケーブル５０により電動車両Ｃ１と接続された時刻（接続時刻）が、深夜電力時間帯でない場合には、動作モードとして電池優先モードを設定する。接続時刻が深夜電力時間帯である場合には、充放電制御装置１０ａは、動作モードとして経済優先モードを設定する。また、電動車両Ｃ１と接続された時刻に関わらず、接続時刻から次回電動車両Ｃ１を利用する予定開始時刻までの期間が所定の期間以内（例えば、３時間以内）である場合には、充放電制御装置１０ａは、動作モードとして走行優先モードを設定する。または、長期間（例えば、１日以上の期間）にわたり利用されない場合、つまり次回の利用予定が１日以上経過したのちである場合には、充放電制御装置１０ａは、動作モードとして電池優先モードを設定する。
【０１０８】
（６）上記実施形態において、蓄電池３０の温度が第２の範囲の上限値以上である場合には、充放電制御装置１０ａは、温度が第２の範囲内となるよう温度を低下させ、その後、蓄電池３０の残容量が第１の範囲内となるよう蓄電池３０の充放電を行った。しかしながら、本発明は、これに限定されない。
【０１０９】
蓄電池３０の温度が第２の範囲の上限値以上である場合、充放電制御装置１０ａは、蓄電池３０の残容量が第１の範囲内となるように充放電を行い、その後温度を低下させてもよい。
【０１１０】
（７）上記実施形態において、制御部１４がスケジュール作成の対象となる期間は、休止期間および準備期間としたが、本発明は、これに限定されない。
【０１１１】
制御部１４がスケジュール対象の期間は、休止期間のみであってもよい。この場合の休止期間とは、上述したように、充放電の制御開始から利用予定日時に到達するまでの時間が所定時間を切るまでの間であってもよいし、充放電の制御開始から利用予定日時に到達するまでの期間であってもよい。このとき、図６に示すステップＳ４１５で休止期間が終了したと判断された場合に、充放電制御処理は終了する。
【０１１２】
（８）上記実施形態において、電力変換器１２は、ＡＣ／ＤＣ変換機能、ＤＣ／ＡＣ変換機能を備えるとしたが、本発明は、これに限定されない。
【０１１３】
電力変換器１２は、ＤＣ／ＤＣ変換機能を有してもよい。この場合、電力変換器１２は、商用電源２０の代わりに、直流電源を供給する電源（直流系統電源）からの電力を直流の充電電力に変換して、接続口１５へ出力する。ここで、直流の充電電力は、電力変換器１２によって蓄電池３０の充電電圧に制御されている。電力変換器１２は、接続口１５を介して蓄電池３０から供給される直流の放電電力を直流電力に変換して、電路Ｌ２へ出力する。
【０１１４】
なお、実施形態の商用電源２０および上記直流系統電源は、本発明の電力系統に相当する。
【０１１５】
（９）上記実施形態において、充放電制御装置１０ａは、蓄電池３０の温度を現状より低くしたい場合には、図１１に示す蓄電池３０を冷却する冷却器３１を用いて、蓄電池３０の温度を積極的に低くしてもよい。例えば、充放電制御装置１０ａの制御部１４は、ケーブル５０に設けた図示しない制御線を用いて、冷却器３１の動作のオン・オフを制御することで、実現できる。ここで、冷却器３１の冷却方式は、空冷式または水冷式など蓄電池３０を冷却する方式であればよい。
【０１１６】
（１０）上記実施形態において、充放電制御装置１０ａは、蓄電池３０の温度を、図１１に示す冷却器３１により冷却しながら、電力変換器１２に対して蓄電池３０の充放電の制御を行い、蓄電池３０の残容量を第１の範囲内になるようにしてもよい。具体的には、制御部１４は、ケーブル５０に設けた図示しない制御線を用いて、冷却器３１の動作のオン・オフを制御する。例えば、制御部１４は、蓄電池３０の温度が第２の範囲内となるよう冷却器３１を制御する。制御部１４は、冷却器３１の制御をしつつ、蓄電池３０の残容量が第１の範囲内となるように電力変換器１２に対して蓄電池３０の充放電の制御を行う。
【０１１７】
これにより、充放電制御装置１０ａは、充放電動作による蓄電池３０の温度上昇制約を受けることなく、蓄電池３０の充放電を行うので、蓄電池３０の長寿命化が図ることができる。
【０１１８】
なお、冷却器３１は、電動車両Ｃ１に備えられるとしたが、これに限定されない。例えば、冷却器３１は、電動車両Ｃ１を駐車するガレージに設けてもよい。つまり、冷却器３１は、蓄電池３０を冷却することのできる場所に設置されていればよい。
【０１１９】
（１１）上記実施形態において、充放電制御装置１０ａは、充放電制御中の蓄電池３０の温度および残容量に応じて、充放電制御の判断に用いる第１および第２の範囲を変更してもよい。
【０１２０】
具体的には、制御部１４は、充放電制御において蓄電池３０の温度が、第２の範囲内になると、第２の範囲より狭い範囲に第２の範囲を変更する。以下、変更後の第２の範囲を第３の範囲と称す。制御部１４は、蓄電池３０の温度が第３の範囲内となるように充放電制御を行う。その後、蓄電池３０の温度が第３の範囲内となり、蓄電池３０の残容量が第１の範囲内となると、制御部１４は、第３の範囲を第３の範囲より狭い範囲に、第１の範囲を第１の範囲より狭い範囲へと変更する。変更後の第３の範囲を第４の範囲と称し、変更後の第１の範囲を第５の範囲と称す。制御部１４は、蓄電池３０の温度が第４の範囲内および残容量が第５の範囲内となるよう充放電を制御する。なお、第３の範囲の下限値は、第２の範囲の下限値より大きい値であり、第３の範囲の上限値は、第２の範囲の上限値よりも小さい値である。また、第４の範囲の下限値は、第３の範囲の下限値よりも大きい値であり、第４の範囲の上限値は、第３の範囲の上限値よりも小さい値である。さらに、第５の範囲の下限値は、第１の範囲の下限値よりも大きい値であり、第５の範囲の上限値は、第１の範囲の上限値よりも小さい値である。
【０１２１】
以下において、充放電制御装置１０ａが実行する電池優先処理について、図１２に示す流れ図を用いて説明する。
【０１２２】
制御部１４は、図５に示すステップＳ３００からステップＳ３１０を実行する。制御部１４は、蓄電池３０の残容量が温度許容範囲内であり、蓄電池３０の温度が温度許容範囲内である場合には、残容量および温度に応じた充放電を行うよう電力変換器１２を制御する（ステップＳ５００）。
【０１２３】
制御部１４は、蓄電池３０の温度が第２の範囲内であるか否かを判断する（ステップＳ５０５）。
【０１２４】
蓄電池３０の温度が第２の範囲内であると判断する場合（ステップＳ５０５における「Ｙｅｓ」）、制御部１４は、蓄電池３０の温度が第３の範囲内であり、かつ残容量が第１の範囲内であるか否かを判断する（ステップＳ５１０）。
【０１２５】
蓄電池３０の温度が第３の範囲内、かつ残容量が第１の範囲内であると判断する場合（ステップＳ５１０における「Ｙｅｓ」）、制御部１４は、蓄電池３０の温度が第４の範囲内であり、かつ残容量が第５の範囲内であるか否かを判断する（ステップＳ５１５）。
【０１２６】
蓄電池３０の温度が第４の範囲内、かつ残容量が第５の範囲内であると判断する場合（ステップＳ５１０における「Ｙｅｓ」）、制御部１４は、電動車両Ｃ１の利用が開始されたか否かを判断する（ステップＳ５２０）。
【０１２７】
電動車両Ｃ１の利用が開始されていないと判断する場合（ステップＳ５２０における「Ｎｏ」）、制御部１４は、ステップＳ５１５の戻り、再度処理を行う。電動車両Ｃ１の利用が開始された、つまり電力変換器１２と電動車両Ｃ１とが電気的に接続されていないと判断する場合（ステップＳ３３０における「Ｙｅｓ」）、制御部１４は、処理を終了する。
【０１２８】
温度が第２の範囲内でないと判断する場合（ステップＳ５０５における「Ｎｏ」）には、制御部１４は、ステップＳ５００へ戻り、蓄電池３０の温度が第２の範囲内となるよう電力変換器１２による充放電の制御を行う。
【０１２９】
ステップＳ５１０において、蓄電池３０の温度および残容量の何れかが条件を満たさない場合（ステップＳ５１０における「Ｎｏ」）、制御部１４は、ステップＳ５００へ戻る。そして、制御部１４は、蓄電池３０の温度が第３の範囲内となり、かつ残容量が第１の範囲内となるよう電力変換器１２による充放電の制御を行う。
【０１３０】
ステップＳ５１５において、蓄電池３０の温度および残容量の何れかが条件を満たさない場合（ステップＳ５１５における「Ｎｏ」）、制御部１４は、ステップＳ５００へ戻る。そして、制御部１４は、蓄電池３０の温度が第４の範囲内となり、かつ残容量が第５の範囲内となるよう電力変換器１２による充放電の制御を行う。
【０１３１】
制御部１４は、蓄電池３０の残容量が容量許容範囲内でない、または温度が温度許容範囲内でないと判断する場合（ステップＳ３０５またはＳ３１０における「Ｎｏ」）には、制御部１４は、図５に示すステップＳ３３５からステップＳ３４５を実行する。
【０１３２】
また、本変形例における充放電処理では、図６に示すステップＳ４００からステップＳ４１０を図１２に示すステップＳ５００からステップＳ５１５に置き換える。さらに、図６に示すステップＳ４２５の判定の基準となる範囲を、第２の範囲から第４の範囲へと変更する。このような置き換え、変更により、充放電処理においても、蓄電池３０の温度に応じて、充放電の制御の判断に用いる温度の範囲、および残容量の範囲を変更することができる。
【０１３３】
（１２）上記実施形態および変形例を組み合わせてもよい。
【０１３４】
１．５  補足
以上説明したように、本実施形態の充放電制御装置１０ａは、電力変換器１２と、制御部１４とを備える。電力変換器１２は、電力系統からの電力を電動車両Ｃ１に搭載された蓄電池３０を充電する充電電力へ変換し、変換した充電電力を蓄電池３０に供給し、蓄電池３０の放電電力を電力変換して、電力系統へ出力する。制御部１４は、電動車両Ｃ１の走行利用を休止している休止期間において、蓄電池３０の残容量が、第１の範囲内であり、蓄電池３０の温度が、第２の範囲内となるよう、電力変換器１２に対して蓄電池３０の充放電の制御を行う。第１の範囲とは、前記蓄電池の長寿命化に適した予め定められた範囲であり、第２の範囲とは、蓄電池３０の動作に適した予め定められた範囲である。
【０１３５】
通常、蓄電池３０の残容量を、前記蓄電池の長寿命化に適した予め定められた範囲内で保つことが蓄電池３０の長寿命化につながる。また、蓄電池３０の温度をその動作に適し温度とすることが蓄電池３０の長寿命化につながる。そこで、本実施形態の充放電制御装置１０ａでは、蓄電池３０の残容量が第１の範囲内であり、蓄電池３０の温度が第２の範囲内となるよう、蓄電池３０の充放電を行うことで、蓄電池３０の長寿命化を図ることができる。
【０１３６】
ここで、第１の範囲は、その下限値が、蓄電池３０の残容量が残っていないことを表す値よりも大きく、その上限値が、蓄電池３０の全容量を表す値よりも小さい範囲からなるとしてもよい。
【０１３７】
この構成によると、本実施形態の充放電制御装置１０ａでは、第１の範囲の下限値を前記蓄電池の残容量が残っていないことを表す値よりも大きい値とし、第１の範囲の上限値を前記蓄電池の全容量を表す値より大きい値としている。これにより、第１の範囲は、蓄電池３０の全容量に対する中間の容量に近い範囲内となるので、蓄電池３０の更なる長寿命化を図ることができる。
【０１３８】
ここで、蓄電池３０の残容量が第１の範囲内となり、蓄電池３０の温度が第２の範囲内となると、制御部１４は、以下のようにして、電力変換器１２に対して蓄電池３０の充放電の制御を行うとしてもよい。制御部１４は、第１の範囲を第１の範囲より狭い範囲に変更し、第２の範囲を第２の範囲より狭い範囲に変更する。制御部１４は、蓄電池３０の残容量が変更後の第１の範囲内となり、かつ蓄電池３０の温度が変更後の第２の範囲内となるよう電力変換器１２に対して蓄電池３０の充放電の制御を行う。
【０１３９】
この構成によると、充放電制御装置１０ａは、充放電制御中の蓄電池３０の温度に応じて充放電制御の判断に用いる第１の範囲および第２の範囲を変更するので、蓄電池３０の長寿命化を図るための蓄電池３０の容量と温度との組み合わせを変更することができる。
【０１４０】
ここで、電力変換器１２は、放電電力が変換された電力を負荷４０に供給している。制御部１４は、負荷４０の利用状況を示す負荷利用情報および電動車両Ｃ１の利用状況を示す車両利用情報に基づいて、休止期間における蓄電池３０の充放電のスケジューリングを行う。制御部１４は、スケジューリングの結果に基づいて蓄電池３０の充放電を行うよう電力変換器１２を制御するとしてもよい。
【０１４１】
この構成によると、本実施形態の充放電制御装置１０ａは、スケジューリングに基づいて蓄電池３０の充放電を制御する。これにより、本実施形態の充放電制御装置１０ａは、負荷の電力を供給しつつ、蓄電池３０の長寿命化を図ることができる。
【０１４２】
ここで、車両利用情報には、前記電動車両を過去に利用した時間帯の情報が含まれる。制御部１４は、電動車両Ｃ１を過去に利用した時間帯の情報を基に、電動車両が次回利用される利用予定日時を推定する。蓄電池３０と電力変換器１２とが電気的に接続されてから利用予定日時までの期間には、休止期間と、電動車両Ｃ１を利用するための準備期間とが含まれる。制御部１４は、さらに、準備期間では、利用予定日時が到来した時に蓄電池３０の温度が第２の範囲に属するように、スケジューリングを行うとしてもよい。
【０１４３】
この構成によると、本実施形態の充放電制御装置１０ａは、利用予定日時には蓄電池３０の温度を第２の範囲に属するように蓄電池３０の充放電の制御を行っている。例えば、冬季では蓄電池３０の温度は第２の範囲の下限値を下回る場合があり、このような状態で蓄電池３０を利用すると、電池性能は通常よりも悪くなり、蓄電池の寿命を短くする要因になる可能性がある。そこで、利用予定日時の時点で、蓄電池３０の温度を第２の範囲に属するようにすることで、この要因を取り除くことができる。これにより、本実施形態の充放電制御装置１０ａは、蓄電池３０の長寿命化を図ることができる。
【０１４４】
ここで、制御部１４は、蓄電池３０の充放電の制御を行う場合であって、温度が第２の範囲の上限値を超えている場合には、温度が第２の範囲に属するまでは蓄電池３０の充電および放電を停止するよう電力変換器１２を制御するとしてもよい。
【０１４５】
この構成によると、本実施形態の充放電制御装置１０ａは、蓄電池３０の温度が第２の範囲の上限値を超えている場合には充放電を行わないので、充放電を行っている場合よりも早く蓄電池３０の温度を下げることができる。これにより、蓄電池３０が高温状態となる時間は短くなるので、本実施形態の充放電制御装置１０ａは、蓄電池３０の長寿命化を図ることができる。
【０１４６】
ここで、制御部１４は、蓄電池３０の充放電の制御を行う場合であって、温度が第２の範囲の上限値を超えている場合には、温度が上限値を超えていない場合に比べて、充電電力または放電電力を小さくするよう電力変換器１２を制御するとしてもよい。
【０１４７】
この構成によると、本実施形態の充放電制御装置１０ａは、蓄電池３０の温度が第２の範囲の上限値を超えている場合には、上限値を超えていない場合に比べて充電電力または放電電力を小さくしている。そのため、蓄電池３０の温度が第２の範囲の上限値を超えている場合の充放電による蓄電池３０の温度上昇は、上限値を超えていない場合における充放電による温度上昇に比べて小さくなる。したがって、本実施形態の充放電制御装置１０ａは、蓄電池３０の温度が第２の範囲の上限値を超えている場合には充電電力または放電電力を小さくすることで、蓄電池３０の長寿命化を図ることができる。
【０１４８】
ここで、制御部１４は、蓄電池３０の温度が第２の範囲内となるよう蓄電池３０を冷却する冷却器３１を制御しつつ、蓄電池３０の残容量が第１の範囲内となるように電力変換器１２に対して蓄電池３０の充放電の制御を行うとしてもよい。
【０１４９】
この構成によると、充放電制御装置１０ａは、充放電の動作による蓄電池３０の温度上昇制約を受けることなく、充放電の動作を実施でき、蓄電池３０の長寿命化が図ることができる。
【符号の説明】
【０１５０】
１０    充放電制御システム
１０ａ  充放電制御装置
１１    系統リレー
１２    電力変換器
１３    記憶部
１４    制御部
１５    接続口
２０    商用電源
３０    蓄電池
４０    負荷
５０    ケーブル
Ｃ１    電動車両
【図１】
2015208197.tif 000003
【図２】
2015208197.tif 000004
【図３】
2015208197.tif 000005
【図４】
2015208197.tif 000006
【図５】
2015208197.tif 000007
【図６】
2015208197.tif 000008
【図７】
2015208197.tif 000009
【図８】
2015208197.tif 000010
【図９】
2015208197.tif 000011
【図１０】
2015208197.tif 000012
【図１１】
2015208197.tif 000013
【図１２】
2015208197.tif 000014